(57)【特許請求の範囲】
【請求項１】
錠ケース内にシリンダー錠或いはサムターン等の手動操作部材の操作により回転するハブの回転により錠ケース前板から出没する施錠部材と、前記施錠部材の出没動作に連動して回動し、鎌部が錠ケース前板から回動出没する鎌片とを備えた扉錠において、
前記施錠部材は、第１構成部材と第２構成部材とで内部に空間部を有する状態で重合して一体化される構成とする一方、前記鎌片は、基端部を錠ケースの側板にピンで回動可能に枢支し、先端部を鎌部とするとともに、前記枢支部と鎌部を避けた位置に長孔を形成してなり、前記施錠部材の第１構成部材と第２構成部材との前記空間部には、少なくとも鎌片の鎌部を回動可能にサンドイッチ状に挟むとともに、施錠部材の第１構成部材と第２構成部材とを固定するピンが鎌片の長孔を貫通するように設けてあり、施錠部材の突出方向の摺動により前記鎌片の鎌部は鎌片の長孔に嵌入しているピンに押されて、鎌片の基端部を枢支したピンを支点として施錠方向に回動し、鎌片の鎌部が施錠部材の下辺部または上辺部に設けた開口部から回動突出して受金具の嵌合孔に嵌入され、さらに前記第１構成部材と第２構成部材とを隠蔽するカバーで、前記鎌片の少なくとも鎌部を隠蔽してあることを特徴とする扉錠。
【発明の詳細な説明】
【０００１】
【発明の属する技術分野】
本発明は、防犯性の高い摺動突出の施錠部材及び回動突出の鎌片併用型の扉錠に関するものである。
【０００２】
【従来の技術】
従来公知のこの種摺動突出の施錠部材及び回動突出の鎌片併用型の錠として、実公昭４５−１８３９９号公報に示されるような戸締錠がある。
【０００３】
【発明が解決しようとする課題】
この戸締錠は、図５に示されるように、錠ケースａの上部にシリンダー錠ｂを設け、そのカム片ｃにより左方又は右方に揺動する中心線に対し左右対称形の中間伝動片ｄを錠ケースの中間に枢支し、中間伝動片ｄの下端に固定したピンｅを、中心線に対し左右対称形であると共に揺動自在に枢支された鎌片ｆと、これに重なって横方向に摺動自在の閂ｇにそれぞれ穿設した対応孔内へ緩入した構造で、鎌片と閂を併用して、開き戸のみならず引戸の錠止に利用できるようにしたものである。
【０００４】
この戸締錠を開き戸に使用した場合には、その構造上、閂ｇが受金具ｈの孔に嵌合して戸を錠止すると同時に鎌片ｆが受金具ｈの嵌合孔の縁部の内面に係合するようになっているので、錠ケースａの前板と受金具ｈとの間の隙間からバール等を差し入れて錠ケースａの前板と受金具ｈとの間を大きく広げて閂ｇと受金具ｈとの関係を絶ち、不法に解錠しようとしても鎌片ｆがこれを阻止し、防犯機能が高いことが予測できる。
【０００５】
然しながら、上記戸締錠では、閂ｇは鉄板をＬ字形に折り曲げた儘の形状で、戸を開いた状態ではこの閂ｇ及び鎌片ｆの形状がその儘見え、体裁が悪く、使用者に不安感を与えるだけでなく、施錠部材である閂ｇと鎌片ｆとを明確に認識することができ、それぞれの施錠部材を的確に攻撃することができるので、破錠が簡単であるという防犯上の問題点もあった。
【０００６】
【発明の目的】
本発明は、閂に相当する施錠部材内に鎌片を内蔵させ、施錠部材の摺動突出時にのみ鎌片の鎌部を施錠部材の下辺部または上辺部に設けた開口部から回動突出させるようにし、施錠状態においては施錠部材以外に鎌片で二重に施錠されていることが分からないようにして、不法侵入者の破錠を困難ならしめる等施錠状態が堅牢で、且つ、外観上体裁も良い防犯効果が極めて高い摺動突出の施錠部材および回動突出の鎌片併用型の扉錠を提供することを目的とするものである。
【０００７】
【課題を解決するための手段】
本発明に係る扉錠は、錠ケース内にシリンダー錠或いはサムターン等の手動操作部材の操作により回転するハブの回転により錠ケース前板から出没する施錠部材と、前記施錠部材の出没動作に連動して回動し、鎌部が錠ケース前板から回動出没する鎌片とを備えた扉錠において、前記施錠部材は、第１構成部材と第２構成部材とで内部に空間部を有する状態で重合する構成とするとともに、この第１構成部材と第２構成部材との前記空間部には、少なくとも鎌片の鎌部を回動可能にサンドイッチ状に挟んで、これら第１構成部材と第２構成部材と鎌片とを鎌片の長孔に嵌挿したピンで枢支し、施錠部材の摺動突出時に前記鎌片の鎌部が施錠部材の下辺部または上辺部に設けた開口部から回動突出し、さらに前記第１構成部材と第２構成部材とを隠蔽するカバーで、前記鎌片の少なくとも鎌部を隠蔽してあることを特徴とするものである。
【０００８】
【発明の作用】
施錠部材が摺動突出するとき、施錠部材に内蔵された鎌片の鎌部が施錠部材の下辺部または上辺部に設けた開口部から回動突出し、施錠部材は受金具の嵌合孔の端縁に、鎌片は嵌合孔の縁部の内面にそれぞれ係合する。
【０００９】
【実施例】
本発明の扉錠の実施例を図面に基づいて具体的に説明する。
図１は、本発明の扉錠の解錠状態における一部縦断側面図、図２は同扉錠の施錠状態における一部縦断側面図、図３は図２Ａ−Ａ線における縦断面図、図４はデッドボルトの一部横断平面図である。
【００１０】
１は、回動式の開き戸Ｄの開放端側に取り付けられる錠ケース、２は、錠ケース１の側板１１の外面に取り付けられるシリンダー錠（図示せず）またはサムターン等の手動操作部材（図示せず）の操作により手動操作部材に設けられた連接杆２１を介して回転するハブ、３、４は、施錠部材を構成する第１、第２構成部材で、第１構成部材３は平板状、第２構成部材４は断面コ字状の形状をしており、両構成部材３、４は、後述する鎌片をその両者間で回動可能な状態にサンドイッチ状に挟んでピン５にてカシメ止めされて一体化されるようになっている。
【００１１】
６は、先端部に鎌部６１を有する鎌片で、前記第１、第２構成部材３、４間の空間部Ｓに挟まれ、両構成部材をカシメ止めするピン５が鎌片６に形成された長孔６２を貫通するようになっており、先端部の鎌部６１と反対側の基端部が錠ケース１の側板１１、１１にピン６３で回動可能に枢支されている。
【００１２】
７は、前記第１、第２構成部材３、４と共に鎌片６を隠蔽するための先端側が封止された角筒状のカバーで、このカバー７と両構成部材３、４とで施錠部材８が構成される。
【００１３】
前記カバー７は、少なくとも施錠部材８が錠ケース前板１２から突出する部分に被せばよいが、全体を覆うようにしてもよいこと勿論である。
【００１４】
カバー７と両構成部材３、４を一体化する方法は、鎌片６をピン６３で錠ケース１に枢支する前に、鎌片６の長孔６２内にピン５を挿通し、これを両構成部材３、４間に挟んでピン５の両端が両施錠部材の側面に穿設された孔３１，４１から突出するようにしておき、両構成部材の先端側から筒状のカバー７を差し入れるようにして被せ、カバー側面に穿設された孔７２から突出するピン５の端部を圧壊して両構成部材３，４と一体になるようにカシメ止めするもので、カバー７の先端部の下辺部には鎌片６が回動したとき、鎌部６１が突出できるような開口部たる孔７１が形成してある。
【００１５】
図中、９は、ハブ２が回転し、このハブに押されて施錠部材８が出没動作をするときのクリックモーション用の板バネ、１０は、戸枠Ｗ側に取り付けられた受金具である。
【００１６】
次に、本発明の扉錠の作動状態を具体的に説明する。
図１の開き戸Ｄが閉鎖され、解錠している状態において、シリンダー錠またはサムターン等の手動操作部材の操作によって連接杆２１を介してハブ２を時計方向に回転させると、このハブに押されて施錠部材８が錠ケース前板１２から突出して戸枠Ｗに取り付けられた受金具１０の嵌合孔１０１に嵌入するが、施錠部材８の突出方向の摺動により鎌片６はその長孔６２に嵌入しているピン５に押されてピン６３を支点として反時計方向に回動し、先端部の鎌部６１がカバー７の下辺部の孔７１から回動突出して受金具１０の嵌合孔１０１に嵌入し、嵌合孔の縁部１０２の内面と係合する位置迄来て、図２の施錠状態となる。
【００１７】
図２の施錠状態において、シリンダー錠またはサムターン等の手動操作部材の操作によって連接杆２１を介してハブ２を反時計方向に回転させると、このハブに押されて施錠部材８が錠ケース内に後退するが、同時に鎌片６が時計方向に回動して図１の解錠状態に戻る。
【００１８】
爾後、シリンダー錠またはサムターン等の手動操作部材の操作毎に上記動作を反復し、施、解錠がなされる。
【００１９】
【発明の効果】
本発明に係る扉錠によれば、施錠部材内に鎌片を内蔵させ、施錠部材の摺動突出時にのみ鎌片の鎌部を施錠部材の下辺部または上辺部の孔から回動突出させるようにして施錠部材のみならず鎌片により二重に施錠するようにしたものであるから、施錠状態が堅牢であり、また、施錠部材たる第１、第２の構成部材を隠蔽するカバーで鎌片の少なくとも鎌部も隠蔽してあるから、不法侵入者にとっては施錠状態においては施錠部材以外に鎌片で二重に施錠されていることが分からず、破錠しようとしても極めて困難であり、防犯効果が極めて高いだけでなく、解錠状態にあっては鎌片は施錠部材内部に後退して見えることがないので、外観上体裁が良いものである。
【００２０】
また、この扉錠を引戸の錠止用に使用した場合、施錠部材が、鎌片が受金具の嵌合孔に嵌入するときのガイドの作用をし、鎌片が回動突出したときに受金具の一部に当接するようなことがなく、確実に受金具に係合させることができる効果がある。
【図面の簡単な説明】
【図１】  本発明に係る扉錠の解錠状態における一部縦断側面図である。
【図２】  同扉錠の施錠状態における一部縦断側面図である。
【図３】  図２Ａ−Ａ線における縦断面図である。
【図４】施錠部材の一部横断平面図である。
【図５】   従来例の扉錠の説明図である。
【符号の説明】
１    錠ケース
２    ハブ
３    第１構成部材
４    第２構成部材
５    ピン
６    鎌片
７    カバー
８    施錠部材
１０    受金具
１２    錠ケース前板
６１    鎌部
７１    開口部（孔）
１０１  嵌合孔
Ｓ      空間部
【図１】
0004065042.tif 000002
【図２】
0004065042.tif 000003
【図３】
0004065042.tif 000004
【図４】
0004065042.tif 000005
【図５】
0004065042.tif 000006